(57)【要約】【課題】画像の撮影から出力に至る間の処理を簡素化し、画像を撮影してから実際にその画像が表示されるまでの時間差を短縮する。【解決手段】被写体の画像を撮影する撮像系11〜14，21〜25と、表示機器を接続可能なＵＳＢＩ／Ｆ16及びＵＳＢコネクタ1b3と、外部接続した表示機器から表示解像度を取得し、取得した表示解像度に対応して撮像系中のＣＣＤ12での撮影解像度を設定し、撮影解像度を設定した撮像系11〜14，21〜25での撮影により得た画像データを表示機器へ出力させるＣＰＵ17、メインメモリ18及びプログラムメモリ19とを備える。【選択図】      図２
2010016552.tif 000002
【特許請求の範囲】
【請求項１】
被写体の画像を撮影する撮像手段と、
表示機器を接続可能な接続手段と、
上記接続手段により外部接続した表示機器から表示解像度を取得する解像度取得手段と、
上記解像度取得手段で取得した表示解像度に対応して上記撮像手段での撮影解像度を設定する解像度設定手段と、
上記解像度設定手段で撮影解像度を設定した上記撮像手段での撮影により得た画像データを、上記接続手段により接続した表示機器へ出力する画像出力手段と
を具備したことを特徴とする撮像装置。
【請求項２】
上記解像度設定手段は、上記表示解像度が、上記撮影手段で得られる最大の撮影解像度より大きい場合、上記撮像手段で最大の撮影解像度を設定して撮影させることを特徴とする請求項１記載の撮像装置。
【請求項３】
上記解像度取得手段は、
複数の表示機器の識別情報と各表示機器の表示解像度とを対応付けて記憶した解像度記憶手段と、
接続される表示機器から識別情報を取得し、取得した識別情報で上記解像度記憶手段での記憶内容を参照し、対応する表示解像度を読出す解像度読出手段と
を有したことを特徴とする請求項１記載の撮像装置。
【請求項４】
被写体の画像を撮影する撮像部と、表示機器を外部接続可能な接続部とを備えた撮像装置での撮像方法であって、
上記接続部に外部接続した表示機器から表示解像度を取得する解像度取得工程と、
上記解像度取得工程で取得した表示解像度に対応して上記撮像部での撮影解像度を設定する解像度設定工程と、
上記解像度設定工程で撮影解像度を設定した上記撮像部での撮影により得た画像データを、上記接続部に接続した表示機器へ出力する画像出力工程と
を有したことを特徴とする撮像方法。
【請求項５】
上記解像度設定工程では、上記表示解像度が、上記撮影部で得られる最大の撮影解像度より大きい場合、上記撮像部で最大の撮影解像度を設定して撮影させることを特徴とする請求項４記載の撮像方法。
【請求項６】
被写体の画像を撮影する撮像部と、表示機器を外部接続可能な接続部とを備えた撮像装置が内蔵するコンピュータが実行するプログラムであって、
上記接続部に外部接続した表示機器から表示解像度を取得する解像度取得ステップと、
上記解像度取得ステップで取得した表示解像度に対応して上記撮像部での撮影解像度を設定する解像度設定ステップと、
上記解像度設定ステップで撮影解像度を設定した上記撮像部での撮影により得た画像データを、上記接続部に接続した表示機器へ出力する画像出力ステップと
をコンピュータに実行させることを特徴とするプログラム。
【発明の詳細な説明】
【技術分野】
【０００１】
本発明は、例えば載置されたドキュメント紙面の画像を撮像して画像データ化し、外部接続されたデータプロジェクタ装置に出力する書画カメラ装置等に好適な撮像装置、投影方法及びプログラムに関する。
【背景技術】
【０００２】
デジタルカメラがデジタルテレビ等の表示装置に対して最適な画像表示を行なうことを目的として、デジタルカメラに表示装置が接続されると、表示装置の表示解像度を検出し、その表示解像度に応じてＣＣＤ撮像素子の読出し方式を変更し、ＣＣＤ撮像素子から得られる画像を解像度変換部において処理し、表示解像度に表示解像度に適合した表示用画像を生成するようにした技術が考えられていた。（例えば、特許文献１）
【特許文献１】特開２００４−１２８５８７号公報
【発明の開示】
【発明が解決しようとする課題】
【０００３】
上記特許文献１に記載された技術は、撮影を行なう装置側の撮影解像度と表示を行なう装置側の表示解像度とが異なる場合に、撮影により得た画像データに対する拡大または縮小の処理を施して表示解像度に適合させるものとしており、解像度を変換するための処理が必要となる。
【０００４】
本発明は上記のような実情に鑑みてなされたもので、その目的とするところは、画像の撮影から出力に至る間の処理を簡素化することで、画像を撮影してから実際にその画像が表示されるまでの時間差を短縮することが可能な撮像装置、撮像方法及びプログラムを提供することにある。
【課題を解決するための手段】
【０００５】
請求項１記載の発明は、被写体の画像を撮影する撮像手段と、表示機器を接続可能な接続手段と、上記接続手段により外部接続した表示機器から表示解像度を取得する解像度取得手段と、上記解像度取得手段で取得した表示解像度に対応して上記撮像手段での撮影解像度を設定する解像度設定手段と、上記解像度設定手段で撮影解像度を設定した上記撮像手段での撮影により得た画像データを、上記接続手段により接続した表示機器へ出力する画像出力手段とを具備したことを特徴とする。
【０００６】
請求項２記載の発明は、上記請求項１記載の発明において、上記解像度設定手段は、上記表示解像度が、上記撮影手段で得られる最大の撮影解像度より大きい場合、上記撮像手段で最大の撮影解像度を設定して撮影させることを特徴とする。
【０００７】
請求項３記載の発明は、上記請求項１記載の発明において、上記解像度取得手段は、複数の表示機器の識別情報と各表示機器の表示解像度とを対応付けて記憶した解像度記憶手段と、接続される表示機器から識別情報を取得し、取得した識別情報で上記解像度記憶手段での記憶内容を参照し、対応する表示解像度を読出す解像度読出手段とを有したことを特徴とする。
【０００８】
請求項４記載の発明は、被写体の画像を撮影する撮像部と、表示機器を外部接続可能な接続部とを備えた撮像装置での撮像方法であって、上記接続部に外部接続した表示機器から表示解像度を取得する解像度取得工程と、上記解像度取得工程で取得した表示解像度に対応して上記撮像部での撮影解像度を設定する解像度設定工程と、上記解像度設定工程で撮影解像度を設定した上記撮像部での撮影により得た画像データを、上記接続部に接続した表示機器へ出力する画像出力工程とを有したことを特徴とする。
【０００９】
請求項５記載の発明は、上記請求項４記載の発明において、上記解像度設定工程では、上記表示解像度が、上記撮影部で得られる最大の撮影解像度より大きい場合、上記撮像部で最大の撮影解像度を設定して撮影させることを特徴とする。
【００１０】
請求項６記載の発明は、被写体の画像を撮影する撮像部と、表示機器を外部接続可能な接続部とを備えた撮像装置が内蔵するコンピュータが実行するプログラムであって、上記接続部に外部接続した表示機器から表示解像度を取得する解像度取得ステップと、上記解像度取得ステップで取得した表示解像度に対応して上記撮像部での撮影解像度を設定する解像度設定ステップと、上記解像度設定ステップで撮影解像度を設定した上記撮像部での撮影により得た画像データを、上記接続部に接続した表示機器へ出力する画像出力ステップとをコンピュータに実行させることを特徴とする。
【発明の効果】
【００１１】
本発明によれば、画像の撮影から出力に至る間の処理を簡素化することで、画像を撮影してから実際にその画像が表示されるまでの時間差を短縮することが可能となる。
【発明を実施するための最良の形態】
【００１２】
以下本発明を、ＤＬＰ（Ｄｉｇｉｔａｌ  Ｌｉｇｈｔ  Ｐｒｏｃｅｓｓｉｎｇ）（登録商標）方式のデータプロジェクタ装置と接続する書画カメラ装置に適用した場合の一実施形態について図面を参照して説明する。
【００１３】
図１は、書画カメラ装置１とデータプロジェクタ装置２とをＵＳＢ（Ｕｎｉｖｅｒｓａｌ  Ｓｅｒｉａｌ  Ｂｕｓ）ケーブル３で接続した状態を示す。
【００１４】
書画カメラ装置１は、書画台１ａ、スタンド部１ｂ、及びカメラ部１ｃを組み合わせて構成される。
【００１５】
書画台１ａは、例えばヒンジを介して接続された３枚の折りたたみ式の薄板状部材（合成樹脂板）からなり、その中央の合成樹脂板の端部からスタンド部１ｂが直立する。スタンド部１ｂの上部には回動アーム部１ｂ１を介してカメラ取付け部１ｂ２が取付けられ、このカメラ取付け部１ｂ２が上記書画台１ａと平行となるように回動自在に配置される。
【００１６】
そして、このカメラ取付け部１ｂ２に対してカメラ部１ｃが取付けられ、上記書画台１ａ上に載置された各種ドキュメントの画像を撮影する。
【００１７】
なお、スタンド部１ｂの側面には、上記ＵＳＢケーブル３を取付けるためのＵＳＢコネクタ１ｂ３が設けられる。書画カメラ装置１では、書画台１ａに載置して撮影されたドキュメント用紙の画像がカメラ部１ｃで撮影され、ＵＳＢケーブル３を介してその画像信号が外部接続される表示機器（本実施形態ではデータプロジェクタ装置２）へ出力される。
【００１８】
上記書画カメラ装置１とＵＳＢケーブル３で接続されたデータプロジェクタ装置２では、書画カメラ装置１からの画像信号に基づいた光像を形成し、投影レンズ部２ａからここでは図示しないスクリーンに向けて投射する。データプロジェクタ装置２は、略矩形状のの筐体の前面に上記投影レンズ部２ａとリモートコントローラ受光部２ｂが設けられ、また上面にはキー操作部２ｃとスピーカ部２ｄとが設けられる。
【００１９】
次に図２を用いて上記書画カメラ装置１の概略機能構成について説明する。同図で、撮影レンズユニット１１により体撮像素子としてのＣＣＤ１２の撮像面上に被写体の光像が結像される。
【００２０】
ＣＣＤ１２は、撮像面で例えば最大横３２００画素×縦２４００画素の計８００万画素弱から構成される画像信号を生成し得る。モニタ状態でこのＣＣＤ１２での撮像により得た画像信号は画像処理部１３に送られる。
【００２１】
画像処理部１３は、ＣＣＤ１２からの画像信号に対して相関二乗サンプリングや自動ゲイン調整、Ａ／Ｄ変換処理を実行した後に画素補間処理、γ補正処理を含むカラープロセス処理を施してバッファメモリ１４に一時的に保持する。
【００２２】
このバッファメモリ１４に保持された画像信号が画像処理部１３に読出され、システムバスＳＢ１を経て表示部１５へ送られてモニタ画像として表示される一方で、ＵＳＢインタフェース（Ｉ／Ｆ）１６を介して上記ＵＳＢコネクタ１ｂ３より外部出力される。
【００２３】
以上の動作をすべてＣＰＵ１７が統括制御する。このＣＰＵ１７は、メインメモリ１８及びプログラムメモリ１９と接続される。メインメモリ１８は、ＳＤＲＡＭ（シンクロナスＤＲＡＭ）で構成される。プログラムメモリ１９は、この書画カメラ装置１の動作プログラムや後述する解像度テーブル等を記憶した不揮発性メモリで構成される。
【００２４】
ＣＰＵ１７はプログラムメモリ１９から必要なプログラムやデータ等を読出し、メインメモリ１８に適宜一時的に展開記憶させながら、この書画カメラ装置１全体の制御動作を司る。
【００２５】
ＣＰＵ１７は、キー操作部２０から直接入力されるキー操作信号に対応して各種制御動作を実行するもので、システムバスＳＢ１を介して上記画像処理部１３、表示部１５、ＵＳＢインタフェース１６の他、ＣＣＤドライバ２１、レンズ駆動部２２、及びフラッシュ駆動部２３とも接続される。
【００２６】
キー操作部２０は、例えば電源キー、撮影モードキー、メニューキー、カーソルキー、セットキー等を備える。
【００２７】
ＣＣＤドライバ２１は、ＣＰＵ１７の制御の下に上記ＣＣＤ１２の走査駆動を行なうもので、後述する如くＣＰＵ１７がその時点で必要な撮影解像度を設定することにより、ＣＣＤドライバ２１はＣＣＤ１２をライン単位で走査駆動し、該当するラインの画素に蓄積された電荷量に応じた画像信号を画像処理部１３へ転送させる。
【００２８】
レンズ駆動部２２は、ＣＰＵ１７からの制御信号を受けてステッピングモータで構成されるレンズモータ（Ｍ）２４を回転制御し、上記撮影レンズユニット１１を構成する複数のレンズ中の一部、具体的にはフォーカスレンズ及びズームレンズの位置をそれぞれ光軸方向に沿って移動させる。
【００２９】
フラッシュ駆動部２３は、ＣＰＵ１７からの制御信号を受けて複数の白色高輝度ＬＥＤで構成されるフラッシュ部２５を点灯駆動する。
【００３０】
次いで図３により上記データプロジェクタ装置２の概略機能構成について説明する。同図で、３１はデータプロジェクタ装置２の本体ケーシング背面側に設けられる入出力コネクタ部であり、例えばピンジャック（ＲＣＡ）タイプのビデオ入力端子、Ｄ−ｓｕｂ１５タイプのＲＧＢ入力端子とＵＳＢ端子からなるものとする。。
【００３１】
入出力コネクタ部３１より入力される各種規格の画像信号は、入出力インタフェース（Ｉ／Ｆ）３２、システムバスＳＢ２を介して画像変換部３３に送られる。画像変換部３３は、一般にスケーラとも称されるもので、送られてきた画像信号に対して解像度数、階調数等を含む投影に適した所定のフォーマットの画像信号に統一した後に、投影画像処理部３４へ送る。
【００３２】
この際、ＯＳＤ（Ｏｎ  Ｓｃｒｅｅｎ  Ｄｉｓｐｌａｙ）用の文字画像やポインタ等の記号も必要に応じて画像信号上に重畳加工された状態で投影画像処理部３４へ送られる。
【００３３】
投影画像処理部３４は、送られてきた画像信号から、フレームレート、例えば６０［フレーム／秒］と、色成分の分割数、及び表示階調数を乗算した、より高速な時分割駆動により、空間的光変調素子（ＳＯＭ）であるマイクロミラー素子３５を表示駆動する。
【００３４】
このマイクロミラー素子３５は、アレイ状に配列された複数の微小ミラーの各傾斜角度を個々に高速でオン／オフ動作することでその反射光により光像を形成する。
【００３５】
一方、リフレクタ３６内に配置された、例えば高圧水銀灯を用いた光源ランプ３７が高輝度の白色光を出射する。この光源ランプ３７の出射した白色光は、マイクロミラー素子３５での表示に同期して高速回転するカラーホイール３８を介して時分割で原色に着色され、インテグレータ３９で輝度分布が均一な光束とされた後にミラー４０で全反射して上記マイクロミラー素子３５に照射される。
【００３６】
そして、マイクロミラー素子３５での反射光で光像が形成され、形成された光像が投影レンズユニット４１を介して、投影対象となる図示しないスクリーンに投影される。
【００３７】
投影レンズユニット４１は、上記投影レンズ部２ａを含み、マイクロミラー素子３５で形成された光像を拡大してスクリーン等の対象に投影するものであり、合焦位置及びズーム位置（投影画角）を任意に可変できるものとする。
【００３８】
すなわち、投影レンズユニット４１中の図示しないフォーカスレンズ及びズームレンズは共に光軸方向に沿って前後に移動することで制御されるもので、それらレンズはステッピングモータ（Ｍ）４２の回動駆動により移動する。
【００３９】
また、上記光源ランプ３７の点灯、上記カラーホイール３８用のモータ（Ｍ）４３の回転駆動、及び上記ステッピングモータ４２の回動駆動をいずれも投影光処理部４４が実行する。
【００４０】
上記各回路の動作すべてをＣＰＵ４５が制御する。このＣＰＵ４５は、ＤＲＡＭで構成されたメインメモリ４６、動作プログラムや各種定型データ等を記憶した電気的書換可能な不揮発性メモリで構成されたプログラムメモリ４７を用いてこのデータプロジェクタ装置２内の制御動作を実行する。
【００４１】
ＣＰＵ４５は、操作部４８からの操作信号に応じて各種投影動作を実行する。この操作部４８は、データプロジェクタ装置２の筐体本体に設けられた上記キー操作部２ｃと、このデータプロジェクタ装置２専用の図示しないリモートコントローラからの赤外線変調信号を受信する上記リモートコントローラ受光部２ｂとを含み、ユーザがキー操作部またはリモートコントローラを介して操作したキーに基づくキーコード信号をＣＰＵ４５へ直接出力する。
【００４２】
上記ＣＰＵ４５はさらに、上記システムバスＳＢ２を介して音声処理部４９と接続される。
【００４３】
音声処理部４９は、ＰＣＭ音源等の音源回路を備え、投影動作時に与えられる音声データをアナログ化し、上記スピーカ部２ｄを駆動して拡声放音させ、あるいは必要によりビープ音等を発生させる。
【００４４】
次に上記実施形態の動作について説明する。  
なお、上記書画カメラ装置１とデータプロジェクタ装置２はいずれもＵＳＢ２．０規格に準拠しており、「ＵＳＢ  Ｏｎ−Ｔｈｅ−Ｇｏ」と称される拡張規格にも対応しているものとする。この「ＵＳＢ  Ｏｎ−Ｔｈｅ−Ｇｏ」規格では、ホストとなるパーソナルコンピュータが存在せず、デバイスと呼称される個々の機器同士を直接接続することが可能となる。
【００４５】
図４は、書画カメラ装置１とデータプロジェクタ装置２とをＵＳＢケーブル３で接続した当初に、書画カメラ装置１側で主としてＣＰＵ１７がプログラムメモリ１９から読出した動作プログラムをメインメモリ１８に展開した上で実行する初期設定処理の内容の一部を示すものである。
【００４６】
その当初には、ＵＳＢケーブル３を介して接続されるデータプロジェクタ装置２に対し、デバイスの認識を行なうものとしてコントロール転送により機器コードを要求する制御コマンドを送信する（ステップＳ１０１）。その送信に対する応答として、データプロジェクタ装置２側から一定時間以内に機器コードが返送されてきたか否かを判断する（ステップＳ１０２）。
【００４７】
ここで、データプロジェクタ装置２側からの機器コードが得られたと判断した場合には、次いでその機器コードを用いてプログラムメモリ１９に記憶されている解像度テーブルを参照する（ステップＳ１０３）。
【００４８】
図５は、予めプログラムメモリ１９に記憶されている各種表示装置に対応した解像度テーブルＲＴの内容を例示するものである。同図に示すように機器コードと機種名、及び必要条件（表示解像度）を関連付けた一組の解像度データとして、複数の機器分の解像度データを記憶している。
【００４９】
この解像度テーブルＲＴを参照した上で、上記ステップＳ１０２で応答があったと判断したデータプロジェクタ装置２の機器コードに該当するものがあるか否かを判断する（ステップＳ１０４）。
【００５０】
ここで、該当する解像度データが合ったと判断した場合には、その解像度データで関連付けられている表示解像度を読出し、以後の撮影動作でＣＣＤ１２がその表示解像度と一致する撮影解像度により撮像を行なうべく画像処理部１３を設定する（ステップＳ１０５）。
【００５１】
例えば、データプロジェクタ装置２から送られてきた機種コードが「ＧＹ−７９８」である場合、上記解像度テーブルＲＴから該当する機器の表示解像度「（横）１２８０（画素）×（縦）９６０（画素）」を読出し、ＣＣＤ１２で取得する画像信号がこの表示解像度と一致するように撮影解像度を設定する。
【００５２】
具体的には、上述した如くＣＣＤ１２のフルサイズの撮影解像度が横３２００画素×縦２４００画素であるので、縦横共に撮影解像度と表示解像度との比は「２．５：１」となる。したがって、同比を最小の整数で表した「５：２」から、ＣＣＤ１２で得られる隣接した５画素中の２画素の画像信号を有効な画像信号として用いることで、データプロジェクタ装置２に適した画像信号をＣＣＤ１２から得ることができる点が理解できる。
【００５３】
画像処理部１３では、ＣＣＤ１２から得られる画像信号に対し、隣接する各水平ライン５本に対してその中の離間した２本、例えば３本目と５本目の画像信号のみを有効として、残る３本の水平ラインの画像信号に対しては取込みを行なわない。
【００５４】
また、取り込みを行なう各１本の水平ライン分の画像データに対しても、隣接する５画素分の画素信号から離間した２画素、例えば３画素目と５画素目の画像信号のみを有効として、残る３画素分の画像信号に対しては取込みを行なわない。
【００５５】
このように、表示解像度と等しい撮影解像度となるように画像処理部１３での設定を行なった後、ＣＣＤ１２での撮影動作を開始することで（ステップＳ１０６）、以上でこの図４の初期設定に係る処理を終了し、通常の撮影動作に移行する。
【００５６】
撮影動作にあって書画カメラ装置１では、撮影により得た画像信号をアイソクロナス転送によりリアルタイムでデータプロジェクタ装置２に対して送信する。
【００５７】
この画像信号を受けたデータプロジェクタ装置２側では、画素数変換等の処理を一切行なうことなく、入力した画像信号に対して最低限必要な処理を加えることで即時投影動作に移行することができる。
【００５８】
また、上記ステップＳ１０２でデータプロジェクタ装置２側から機器コードの要求に対する応答が得られないと判断した場合、あるいは機器コードは得られたものの、上記ステップＳ１０４で該当する機器コードが解像度テーブルＲＴに記憶されていなかったと判断した場合には、データプロジェクタ装置２の表示解像度がわからず、この書画カメラ装置１側での撮影解像度を表示解像度に一致させることができない。
【００５９】
そのため、より多くの表示機器で表示が可能となるようにＣＣＤ１２のフルサイズに比して予め低めに設定された標準の撮影解像度、例えばＳＶＧＡ（横８００画素×縦６００画素）となるように画像処理部１３に設定を行なった上で（ステップＳ１０７）、上記ステップＳ１０６に進んで撮影を開始する。
【００６０】
以上に詳述した如く本実施形態によれば、外部接続されるデータプロジェクタ装置２側の表示解像度に合わせて書画カメラ装置１での撮影解像度を設定した上で撮影動作を開始するものとした。これにより、撮影で得られる画像信号の解像度が表示解像度と一致しているため、途中の段階で画素数変換等の処理を行なう必要がなく、撮影から表示に至る時間差を大幅に短縮して最少限に抑えることができる。
【００６１】
また、上記実施形態では、書画カメラ装置１が表示機器の１つであるデータプロジェクタ装置２から表示解像度の情報を直接得るのではなく、外部接続される複数の表示器機に対応した解像度テーブルＲＴを予めプログラムメモリ１９に記憶しておき、データプロジェクタ装置２から取得した機器コードに基づいて表示解像度を得るものとした。
【００６２】
これにより、例えば一般的にＵＳＢ接続の当初に実行されるデバイスの認識処理で得られる接続先の機器コードから表示機器での表示解像度を取得することができる。
【００６３】
そのため、予め接続される可能性のある表示機器の表示解像度を解像度テーブルＲＴとして記憶しておけば、現状の表示機器に対しても容易に対応させることができ、現状の撮像装置に新たな拡張機能を付加するものとして容易に実現可能となる。
【００６４】
なお、上記実施形態では撮像装置を書画カメラ装置１、その書画カメラ装置１に接続する表示機器をデータプロジェクタ装置２とした場合について説明したものであるが、本発明はこれに限らず、例えば撮像装置をデジタルスチルカメラ、表示装置をハンディタイプの（解像度の低い）熱昇華型プリンタとして、高解像度のデジタルスチルカメラでの撮影解像度（画像サイズ）の設定を簡易化して撮影と同時にプリンタ側に転送し、印刷出力するような用途にも同様に適用可能となる。
【００６５】
また、上記実施形態では、書画カメラ装置１とデータプロジェクタ装置２とをＵＳＢケーブル３により有線接続するものとしたが、接続方式としてＵＳＢ、ＩＥＥＥ１３９４等の有線のシリアルインタフェースに限定するものではなく、例えばＢｌｕｅｔｏｏｔｈ（登録商標）やＩＥＥＥ８０２．１１ａ／ｂ／ｇ等に代表される無線ＬＡＮ技術、あるいはＩｒＳｉｍｐｌｅ等の赤外線通信技術を用いて接続するものとしてもよい。
【００６６】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件による適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００６７】
【図１】本発明の一実施形態に係る書画カメラ装置とデータプロジェクタ装置とをＵＳＢケーブルで接続した状態を示す外観斜視図。
【図２】同実施形態に係る書画カメラ装置の電子回路の機能構成を示すブロック図。
【図３】同実施形態に係るデータプロジェクタ装置の電子回路の機能構成を示すブロック図。
【図４】同実施形態に係る書画カメラ装置側で実行するＵＳＢ接続当初の初期設定の一部の処理内容を示すフローチャート。
【図５】同実施形態に係る書画カメラ装置のプログラムメモリに記憶される解像度テーブルの内容を例示する図。
【符号の説明】
【００６８】
１…書画カメラ装置、１ａ…書画台、１ｂ…スタンド部、１ｂ１…回動アーム部、１ｂ２…カメラ取付け部、１ｂ３…ＵＳＢコネクタ、２…データプロジェクタ装置、２ａ…投影レンズ部、２ｂ…リモートコントローラ受光部、２ｃ…キー操作部、２ｄ…スピーカ部、３…ＵＳＢケーブル、１１…撮影レンズユニット、１２…ＣＣＤ、１３…画像処理部、１４…バッファメモリ、１５…表示部、１６…ＵＳＢインタフェース（Ｉ／Ｆ）、１７…ＣＰＵ、１８…メインメモリ、１９…プログラムメモリ、２０…キー操作部、２１…ＣＣＤドライバ、２２…レンズ駆動部、２３…フラッシュ駆動部、２４…レンズモータ（Ｍ）、２５…フラッシュ部、３１…入出力コネクタ部、３２…入出力インタフェース（Ｉ／Ｆ）、３３…画像変換部、３４…投影画像処理部、３５…マイクロミラー素子（ＳＯＭ）、３６…リフレクタ、３７…光源ランプ、３８…カラーホイール、３９…インテグレータ、４０…ミラー、４１…投影レンズユニット、４２…ステッピングモータ（Ｍ）、４３…モータ（Ｍ）、４４…投影光処理部、４５…ＣＰＵ、４６…メインメモリ、４７…プログラムメモリ、４８…操作部、４９…音声処理部、ＲＴ…解像度テーブル、ＳＢ１，ＳＢ２…システムバス。
【図１】
2010016552.tif 000003
【図２】
2010016552.tif 000004
【図３】
2010016552.tif 000005
【図４】
2010016552.tif 000006
【図５】
2010016552.tif 000007